(57)【特許請求の範囲】
【請求項１】
建築、構築物の既存外装面を新規外装材で改修する構造において、改修する既存外装面上に斜めに伸びる帯状の補強材が配設固定され、該補強材は水平面と傾斜面からなる板材の傾斜面に切り込みを形成した固定部材の切り込みに端部が挿入され、水平面が躯体に固定された後に傾斜面が斜め方向に固定具により躯体に打設され、該補強材上に乾式外装材からなる新規外装材が形成されていることを特徴とする改修構造。
【発明の詳細な説明】
【０００１】
【産業上の利用分野】
本発明は建築、構築物の既存外装面を新規外装材で改修するための構造に関するものであり、さらに詳しくは、古くなった既存の躯体、既存外装面の強度を向上する補強板をテンション付加構造として配設して、建物の強度を向上させる改修構造に関するものである。
【０００２】
【従来の技術】
従来、この種の外装等の改修としては、古くなった既存の外装をすべて撤去して、既存の躯体や胴縁等の外装下地材に新規外装材を形成する構造や、既存の外装材上に直に、もしくは、新規胴縁や防水シートを介して新規外装材を取り付ける構造が一般的であった。
【０００３】
【発明が解決しようとする課題】
しかしながら、このような改修では古くなった既存の外装と新規外装材を交換することや、傷んだ既存の外装上に新規外装材を形成して、既存外装を隠蔽することの技術思想のみであり、古くなった建物の既存の躯体、あるいは既存外装を補強し、強度を向上させる技術思想は全く考慮に入れられていなかった。このため、改修後の建物の躯体には負担が係り、強度的に弱く、特に耐震性に極端に劣り、地震等の発生で新規外装材が脱落したり、躯体の破損、建物の崩壊等の被害が発生することもあった。
【０００４】
【課題を解決するための手段】
本発明はこのような欠点を除去するため、建築、構築物の既存外装面を新規外装材で改修する構造において、改修する既存外装面上に斜めに伸びる帯状の補強材が配設固定され、補強材は水平面と傾斜面からなる板材の傾斜面に切り込みを形成した固定部材の切り込みに端部が挿入され、水平面が躯体に固定された後に傾斜面が斜め方向に固定具により躯体に打設され、補強材上に乾式外装材からなる新規外装材が形成されている改修構造を提案するものである。
【０００５】
【実施例】
以下に図面を用いて本発明に係る改修構造の一実施例について詳細に説明する。図１、図２は本発明に係る改修構造の特に外壁の改修構造の代表例を示す説明図であり、Ａは既存建物の躯体、Ｂは既存外装、Ｃは補強材、Ｄは固定部材、Ｅは新規外装材、Ｆは基礎、Ｇは役物である。
【０００６】
躯体Ａは図２に示すように、垂直方向に伸びる主柱１、間柱２、および水平方向に伸びる横架材である土台３、軒桁もしくは妻梁４とから構成される一般的なものである。勿論、これらは木造構造の建物での名称であり、鉄骨造構造ではこれらの位置に、Ｈ型鋼材、角形鋼材、Ｃ型鋼材、等が配設されているものである。なお、図２では便宜上既存外装Ｂを一点鎖線で示し、新規外装材Ｅは省略して示してあるものである。
【０００７】
また、既存外装Ｂは躯体Ａの外側面に例えば木摺、防水シート、ラスシート、モルタル壁材の順に配設、施工されたモルタル壁（湿式壁材）からなるもの、あるいはコンクリート壁構造、Ｓ造、ＲＣ造、ＳＲＣ造、もしくは、躯体Ａ上に金属系サイディング材、窯業系サイディング材、ＡＬＣパネル、タイル、塩ビ押出サイディング材、等の乾式外装材を施工した壁構造、等の一種からなるものである。勿論、屋根に使用する場合には、既存外装Ｂは金属系屋根材、瓦、新生瓦、スレート屋根、等よりなるものである。
【０００８】
補強材Ｃは図４に示すようなものであり、少なくとも土台３、軒桁もしくは妻梁４、後記する胴差し５の少なくとも１本以上に沿って斜めに配設するものであり、その本数は改修する建物の損傷具合や、必要強度によって任意に設計できるものである。また、建物の外周外装面の全てを一本の長い補強材Ｃにより、はち巻き状に被覆して補強することもできるものである。この場合、土台３、軒桁もしくは妻梁４、あるいは胴差し５、等の横架材が破損している場合には、特に有効である。勿論、既存外装Ｂ面毎に１本の補強材Ｃを横架材に沿って配設することもできる。
【０００９】
また、補強材Ｃは既存外装Ｂ上に土台３から軒桁もしくは妻梁４にかけて斜めに１本以上交差して配設されるものであり、既存外装Ｂを介して躯体Ａを構成する少なくとも土台３、軒桁もしくは妻梁４に、釘、スクリュービス、テクス、アンカー、アンカーボルト等の固定具αによって取り付け、古くなった躯体Ａおよび既存外装Ｂの強度を向上する筋交いの機能を有するものである。
【００１０】
また、補強材Ｃは図４に示すように、例えば幅狭の長尺薄板状の鋼材、カラー鋼板、アルミ鋼板、等の各種金属薄板やこれらの複合体、あるいは繊維強化樹脂等の金属帯状物もしくは線状物からなるものであり、特に金属製とした際には、引っ張り力に強く金属特有の粘りもあることから最も好ましいものである。また、補強材Ｃの板厚は０．５ｍｍ〜４．０ｍｍ位とし、なるべく薄くすることで後記する新規外装材Ｅの施工の邪魔にならないようにするのが好ましいものである。
【００１１】
固定部材Ｄは図５（ａ）、（ｂ）（（ａ）図のイ−イ線端面図）、（ｃ）（（ａ）図のロ−ロ線端面図）に示すような短尺材であり、ステンレス鋼板、鋼材、カラー鋼板、等の各種金属板よりなり、テンションを付加する補強材Ｃよりも強度（引っ張り強度）があるものを使用するものである。その形状としては、水平面状の水平面６と、水平面６の先端を上方に傾斜（角度θ）して突出した傾斜面７と、傾斜面７に形成した切り込み８と、切り込み８により形成された狭持片９、狭持片１０と、固定部材Ｄ固定用の固定孔１１、テンション付加孔１２、固定孔１３とから形成されたものである。
【００１２】
固定部材Ｄは図３に拡大して示すように、補強材Ｃの４隅端部をテンションを付加した状態で固定できるようにしたものである。その固定方法としては、まず、図７（ａ）に示すように切り込み８に補強材Ｃの端部を挿入して固定孔１１を躯体Ａに固定し、次に、図７（ｂ）に示すようにテンション付加孔１２に固定具αを斜めに挿入して躯体Ａに打設し、図７（ｃ）に示すようにテンションを付加した状態で固定する。最後に、固定孔１３を躯体Ａに固定具αを介して固定するものである。勿論、４隅を同じように固定するものである。なお、図５に示す固定部材Ｄは補強材Ｃの端部に向かって左側のものであり、右側の固定部材Ｄとしては、図５に示す固定部材Ｄの左右対称に形成した固定部材Ｄを使用するものである。
【００１３】
なお、固定部材Ｄの傾斜面７の角度θは約４５゜以上が施工性、テンションのかかり具合として好ましいが、角度を変化させても良い。勿論、角度を大きくするとテンションのかかりが大きくなり、角度を小さくするとテンションのかかりが小さくなるものである。
【００１４】
新規外装材Ｅは金属系サイディング材、もしくは、窯業系サイディング材、塩ビ押出サイディング材、ＡＬＣパネル、タイル、金属系パネル、等からなる乾式外装材からなるものであり、特に図６に示すような、金属薄板からなる表面材１４と金属薄板もしくはシート状物からなる裏面材１５とで、合成樹脂発泡体からなる芯材１６をサンドイッチした金属系サイディング材が軽量で強度にも優れ、なおかつ、施工容易な点から好ましいものである。勿論、屋根に使用する場合には、新規外装材Ｅは金属系屋根材、瓦、新生瓦、スレート屋根、等よりなるものである。
【００１５】
また、新規外装材Ｅは図１に示すように補強材Ｃ上から直接、釘等の固定具αを介して躯体Ａに順次取り付けられ、建物の外表面を多い、意匠性、断熱性、防音性、防火性等をさらに向上させるものである。勿論、新規外装材Ｅを形成する際には、水切り、止縁、出隅、入隅、スタータ、ジョイナ、等の役物Ｇを必要に応じて配設するものである。
【００１６】
次に、本発明に係る改修構造の施工方法について簡単に説明する。先ず、図１に示すように、モルタル壁等からなる既存外装Ｂ上に図４に示すような長尺帯状の補強材Ｃを土台３と軒桁もしくは妻梁４にかけて固定具αを介して固定すると共に、角線上にクロスさせるように配設し、固定部材Ｄによりテンションを付加して固定し、既存の躯体Ａおよび既存外装Ｂの強度を補強し、向上させる。
【００１７】
さらに、補強材Ｃ上に金属系サイディング材からなる新規外装材Ｅを釘等の固定具αを用いて躯体Ａに順次取り付け、施工を完了するものである。勿論、外装全体を改修するには、水切り、止縁、出隅、入隅、スタータ、ジョイナ、等の役物Ｇを必要に応じて配設するものである。
【００１８】
以上説明したのは、本発明に係る改修構造の一実施例であり、図８〜図２９に示すような改修構造としたり、改修ための部材を用いることもできる。
【００１９】
すなわち、図８〜図１４は本発明に係る改修構造の外壁改修のその他の実施例を示す説明図であり、図８、図９は途中に胴差し５が形成された２階建て以上の建物の改修構造を示すものである。なお、図８、図９においては既存外装Ｂを便宜上一点鎖線で示したものであり、新規外装材Ｅは省略して示してある。
【００２０】
また、図１０は補強材Ｃと新規外装材Ｅとの間に防水シートＨを介在し防水性能の向上を図った例である。図１１は補強材Ｃと新規外装材Ｅとの間に新規外装材Ｅの取り付け下地となる胴縁Ｉを介在させ、その空間を利用して通気工法を採用し、結露等の発生を防止できる構造の例である。
【００２１】
さらに、図１２は補強材Ｃと新規外装材Ｅとの間に胴縁Ｉを設けると共に、その空間に断熱層Ｊを形成した例である。
【００２２】
なお、図１２に示す断熱層Ｊは、構造全体の断熱性能、気密性能の向上や補強材Ｃを金属製とした際に、温度差により結露が発生するのを防止するものである。断熱層Ｊの形成は、例えばポリウレタンフォーム、ポリイソシアヌレートフォーム、フェノールフォーム、塩化ビニルフォーム、ポリエチレンフォーム、ポリスチレンフォーム、ユリアフォーム等、もしくはこれらに無機軽量骨材、無機繊維等の無機材を混入した物、等の合成樹脂発泡体や、石膏ボード、ロックウールボード、ガラス繊維、シージングボード、等の無機材ボード等のボード状パネルを順次張り合わせて形成することもできるが、特に現場吹き付け発泡型の合成樹脂発泡体を用いるのが好ましいものである。
【００２３】
すなわち、断熱層Ｊを現場吹き付け発泡型の合成樹脂とした際には、その素材としては硬質のウレタンフォーム、もしくは難燃２級・難燃３級（ＪＩＳ−Ａ−１３２１）合格品のフェノール＋イソシアネート＋難撚材を用いることもできる。勿論、ノンフロンの合成樹脂を用いると共に、フェノールにより難燃化を図ったものである。また、断熱層Ｊを現場吹き付け発泡型の合成樹脂とすることで、狭い場所や、端部にも吹き付け発泡できるので、より一層の気密化と断熱化を図ることができ、さらに、施工が容易で、コストの節減になるものである。
【００２４】
図１３は補強材Ｃの端部をプレートＫにてさらに補強した改修構造であり、プレートＫは金属板材よりなるものである。さらに、図１４は新規外装材Ｅとして縦張りのものを使用した例である。
【００２５】
図１５〜図１７は補強材Ｃの変形例であり、舌片、凹凸リブ、エンボス、等を施して補強材Ｃの強度を向上させたものである。
【００２６】
図１８（ａ）〜（ｃ）、および図９は固定部材Ｄのその他の実施例を示す斜視図であり、図１８（ａ）は右側の固定部材Ｄ、図１８（ｂ）は両端に切り込み８形成した固定部材Ｄ、図１８（ｃ）は補強材Ｃの幅よりも大きい切り込みを中央に形成した固定部材Ｄである。また、図１９は切り込み８を左右に形成し、台形状の部分１７を固定具αと一緒に打設することにより、ルーズホールの固定孔１１部分でテンションが付加されるようにした固定部材Ｄである。
【００２７】
図２０（ａ）〜（ｆ）は新規外装材Ｅに用いられる乾式外装材のその他の例を示すものであり、図２０（ａ）〜（ｃ）は金属系サイディング材、図２０（ｄ）は塩ビ押出サイディング材、図２０（ｅ）、（ｆ）は窯業系サイディング材の断面形状を示すものである。
【００２８】
図２１〜図２９は屋根に本発明に係る改修構造を形成した場合の実施例である。すなわち、図２１、図２２は施工状態を示す一部切り欠き斜視図、図２３〜図２５は施工順序を示す一部切り欠き斜視図、図２６は施工状態を示す断面図、図２７〜図２９はその他の実施例を示す斜視図である。なお、図２７〜図２９においては既存外装Ｂを便宜上一点鎖線で示し、新規外装材Ｅは省略して示したものである。
【００２９】
【発明の効果】
以上説明したように本発明に係る改修構造によれば、従来の欠点を解決し、▲１▼少なくとも異なる横架材同士を連結するように既存外装面から補強材を斜めに配設固定することで、既存の躯体強度と外装強度を向上させ、建物は水平荷重、垂直荷重の両方に強くなり、地震等の振動や、台風等の外圧に強い構造となる。▲２▼補強材を固定部材でテンションを付加できるために、補強材の機能を十分に活用できる。▲３▼加工が簡単な切り込みにより、補強材を簡単に固定してテンションを付加できる。▲４▼既存外装を解体する必要がないので、施工工数を省略できると共に、工期を大幅に短縮することができ、しかも施工中の居住に何等支障を来さない。▲５▼既存外装上に新規外装材を形成するので、施工が簡単でコストを節約できる。▲６▼既存外装と新規外装材の２重外装構造となり、断熱性、防音性、防火性、防水性に富む構造となる。等の特徴、効果がある。
【図面の簡単な説明】
【図１】本発明に係る改修構造の代表例を示す説明図である。
【図２】本発明に係る改修構造の代表例を示す説明図である。
【図３】本発明に係る改修構造の代表例を示す拡大図である。
【図４】本発明に用いる補強材を示す説明図である。
【図５】本発明に用いる固定部材を示す説明図である。
【図６】本発明に用いる新規外装材を示す説明図である。
【図７】本発明に用いる固定部材の施工順序を示す説明図である。
【図８】本発明に係る改修構造のその他の実施例を示す説明図である。
【図９】本発明に係る改修構造のその他の実施例を示す説明図である。
【図１０】本発明に係る改修構造のその他の実施例を示す説明図である。
【図１１】本発明に係る改修構造のその他の実施例を示す説明図である。
【図１２】本発明に係る改修構造のその他の実施例を示す説明図である。
【図１３】本発明に係る改修構造のその他の実施例を示す説明図である。
【図１４】本発明に係る改修構造のその他の実施例を示す説明図である。
【図１５】本発明に係る改修構造のその他の実施例を示す説明図である。
【図１６】本発明に係る改修構造のその他の実施例を示す説明図である。
【図１７】本発明に係る改修構造のその他の実施例を示す説明図である。
【図１８】本発明に係る改修構造のその他の実施例を示す説明図である。
【図１９】本発明に係る改修構造のその他の実施例を示す説明図である。
【図２０】本発明に係る改修構造のその他の実施例を示す説明図である。
【図２１】本発明に係る改修構造のその他の実施例を示す説明図である。
【図２２】本発明に係る改修構造のその他の実施例を示す説明図である。
【図２３】本発明に係る改修構造のその他の実施例を示す説明図である。
【図２４】本発明に係る改修構造のその他の実施例を示す説明図である。
【図２５】本発明に係る改修構造のその他の実施例を示す説明図である。
【図２６】本発明に係る改修構造のその他の実施例を示す説明図である。
【図２７】本発明に係る改修構造のその他の実施例を示す説明図である。
【図２８】本発明に係る改修構造のその他の実施例を示す説明図である。
【図２９】本発明に係る改修構造のその他の実施例を示す説明図である。
【符号の説明】
α  固定具
Ａ  躯体
Ｂ  既存外装
Ｃ  補強材
Ｄ  固定部材
Ｅ  新規外装材
Ｆ  基礎
Ｇ  役物
Ｈ  防水シート
Ｉ  胴縁
Ｊ  断熱層
Ｋ  プレート
１  主柱
２  間柱
３  土台
４  軒桁もしくは妻梁
５  胴差し
６  水平面
７  傾斜面
８  切り込み
９  狭持片
１０  狭持片
１１  固定孔
１２  テンション付加孔
１３  固定孔
１４  表面材
１５  裏面材
１６  芯材
１７  台形状の部分
【図１】
0003587220.tif 000002
【図２】
0003587220.tif 000003
【図３】
0003587220.tif 000004
【図４】
0003587220.tif 000005
【図５】
0003587220.tif 000006
【図６】
0003587220.tif 000007
【図７】
0003587220.tif 000008
【図８】
0003587220.tif 000009
【図９】
0003587220.tif 000010
【図１０】
0003587220.tif 000011
【図１１】
0003587220.tif 000012
【図１２】
0003587220.tif 000013
【図１３】
0003587220.tif 000014
【図１４】
0003587220.tif 000015
【図１５】
0003587220.tif 000016
【図１６】
0003587220.tif 000017
【図１７】
0003587220.tif 000018
【図１８】
0003587220.tif 000019
【図１９】
0003587220.tif 000020
【図２０】
0003587220.tif 000021
【図２１】
0003587220.tif 000022
【図２２】
0003587220.tif 000023
【図２３】
0003587220.tif 000024
【図２４】
0003587220.tif 000025
【図２５】
0003587220.tif 000026
【図２６】
0003587220.tif 000027
【図２７】
0003587220.tif 000028
【図２８】
0003587220.tif 000029
【図２９】
0003587220.tif 000030